(57)【要約】      （修正有）【課題】自己支持型ケーブルに対して安定した取付け状態の得られる柱間分線金物を提供する。【解決手段】仲介材Ｃｃを介してケーブル本体Ｃｂと支持線部Ｃａを一体にした、だるま型の自己支持型ケーブルＣに支持させ、一対の挟持板２，２と、支持線部Ｃａを介在させて重ね合わせた該挟持板２，２を互いに締付けるフック金具１とを備える。フック金具１は、挟持板２に設けた透孔に貫通させてナット１３を螺合する螺子杆部３の頭部に、分線時に引留め金具Ｂの掛止リングＢａを掛止するフック部４を設ける。各挟持板２には、相対する内面の一端部に互いに係合する突条と係合溝を設ける一方、他端部には支持線部Ｃａの軸線に沿う一半を係合する挟持溝９を設ける。そして、該挟持溝９の、挟持板２の前記他端部側を構成する縁部には、他の挟持板に設けた凹部１１Ａ，１１Ｂに仲介材Ｃｃを介して係合する凸部１２Ａ，１２Ｂを設ける。【選択図】図２
0003169540.tif 000002
【実用新案登録請求の範囲】
【請求項１】
仲介材を介してケーブル本体と支持線部を一体にした、だるま型の自己支持型ケーブルに支持させる柱間分線金物であって、一対の挟持板と、前記支持線部を介在させて重ね合わせた該挟持板を互いに締付けるフック金具とを備え、フック金具は、前記挟持板に設けた透孔に貫通させてナットを螺合する螺子杆部の頭部に、分線時に引留め金具の掛止リングを掛止するフック部を設けて成り、各挟持板には、相対する内面の一端部に互いに係合する突条と係合溝を設ける一方、他端部には前記支持線部の軸線に沿う一半を係合する挟持溝を設け、該挟持溝の、挟持板の前記他端部側を構成する縁部には、他の挟持板に設けた凹部に前記仲介材を介して係合する凸部を設けた、柱間分線金物。
【考案の詳細な説明】
【技術分野】
【０００１】
本考案は、電柱間に架設した通信線等を分線して一般需要家宅に引込む際に、前記電柱間の幹線用支持線部に取付けて、該通信線等の支持線を組付ける引留め具を掛止させるために用いる柱間分線金物に関するもので、仲介材を介してケーブル本体と支持線部を一体にしただるま型の自己支持型ケーブルの支持線部を、前記幹線用支持線部として専ら適用する柱間分線金物に関するものである。
【背景技術】
【０００２】
相対向して配する一対の挟持板の一側に、幹線用支持線の軸線に沿う一半側をそれぞれ係合する挟持溝を設け、両挟持板に設けた貫通孔に貫通させたフック金具の螺子杆部にナットを螺合して挟持板を互いに締め付けるようにして、前記挟持溝に係合した幹線用支持線を挟持させ、フック金具のフック部に引留め具を係止するようにした構造のものがある（例えば、特許文献１、２）。
【先行技術文献】
【特許文献】
【０００３】
【特許文献１】実開平１−５８２３１号公報
【特許文献２】特開２００６−２３８６３２号公報
【考案の概要】
【考案が解決しようとする課題】
【０００４】
前記特許文献記載の構造のものは、所謂だるま型の自己支持型ケーブル（以下、単に自己支持型ケーブル）の支持線部を挟持板の挟持溝部で挟持させるようにして自己支持型ケーブルに取付ける構成を採るので、自己支持型ケーブルに負荷される風圧等の作用により、該ケーブルに沿って移動する場合があり、取付け状態が安定しない。
【０００５】
本考案は、このような常況を勘案し、自己支持型ケーブルに対して安定した取付け状態の得られる柱間分線金物を提供することを目的として創案したものである。
【課題を解決するための手段】
【０００６】
仲介材を介してケーブル本体と支持線部を一体にした、だるま型の自己支持型ケーブルに支持させる柱間分線金物であって、一対の挟持板と、前記支持線部を介在させて重ね合わせた該挟持板を互いに締付けるフック金具とを備え、フック金具は、前記挟持板に設けた透孔に貫通させてナットを螺合する螺子杆部の頭部に、分線時に引留め金具の掛止リングを掛止するフック部を設けて成り、各挟持板には、相対する内面の一端部に互いに係合する突条と係合溝を設ける一方、他端部には前記支持線部の軸線に沿う一半を係合する挟持溝を設け、該挟持溝の、挟持板の前記他端部側を構成する縁部には、他の挟持板に設けた凹部に前記仲介材を介して係合する凸部を設けた構成とするのである。
【考案の効果】
【０００７】
本考案によれば、自己支持型ケーブルの仲介材が、挟持板端縁側の縁部の、互いに係合する凹凸面によって挟持されることになるから、該仲介材すなわち自己支持型ケーブルに沿う分線金物の移動を防ぐことができ、従って、自己支持型ケーブルに対して取付け状態の安定した柱間分線金物を提供できる。
【図面の簡単な説明】
【０００８】
【図１】使用状態を示す正面図。
【図２】図１の一部欠截底面図。
【図３】正面図。
【図４】挟持板の斜視図。
【図５】挟持板の他の斜視図。
【考案を実施するための形態】
【０００９】
図面は本考案に係る柱間分線金物の一実施形態を示し、柱間分線金物Ａは、フック金具１と、該フック金具１と組合わせる、互いに同形な一対の挟持板２，２で構成し、仲介材Ｃｃを介してケーブル本体Ｃｂと支持線部Ｃａを一体にした、だるま型の自己支持型ケーブルＣに専ら取付けて用いるものであるが、別体にケーブルを専ら支持するための、支持線（所謂メッセンジャーワイヤー）に対しても本柱間分線金物は適用できる。
【００１０】
フック金具１は、螺子杆部３の角根付頭部３ａにややＵ字形のフック部４を延設して成るもので、角根付頭部３ａの角根部３ａ´は、基部から螺子杆部３の先端方向に次第に径を細くした角錐台形状を成して、前記挟持板２の中央部に設けた方形の透孔５に係合するようにしてある。
【００１１】
挟持板２は、長手方向に沿う一端中央に設けた切欠６（フック金具１と組付けたとき、フック金具１のフック４の先端部が係合し、この係合関係により引留め金具Ｂのフック部Ｂａはフック４より外れにくくなる）と、該切欠６と幅方向に並んで前記長手方向に沿う中央に設けられた前記透孔５とを備え、内面２´を全体的に平坦面とし、外面２´´を前記長手方向に沿う中央を最も膨出させた断面半円状の円弧面とした横長方形状輪郭体で構成したものである。
【００１２】
なお、外面２´´を円弧面とすることによりフック金具１の螺子杆部３に螺合するナット１３の接触面が狭くなるので、該ナット１３の締付けが強固に行うことができる。
【００１３】
この挟持板２の内面２´の、長手方向に沿う、前記切欠６側の一端には、切欠６を間においた一方側に先端縁７ａを断面半円状とした係合突条７を、他方側に該係合突条７の先端縁７ａを係合できる関係のある、断面凹面状の係合溝８を設け（先端縁７ａは相対する他の挟持板２に設けた係合溝８に摺接して回動できる）、これら突条７乃至係合溝８側の前記一端に前記透孔５を介して相対する、挟持板内面２´の他端側には、自己支持型ケーブルＣの支持線Ｃａの長手方向の一半を係合する挟持溝９を前記長手方向に沿わせて設け、該挟持溝９の、挟持板２端縁側の縁部の一部を切り欠くような形状にして、長手方向の一端側から他端方向に短い凹部１１Ａ、長い凸部１２Ｂ、長い凹部１１Ｂそして短い凸部１２Ａと順次並べて設け、内面２´，２´を相対向させて一対の挟持板２，２同士を重ね合わせたとき、短い凹部１１Ａと短い凸部１２Ａが、また長い凹部１１Ｂと長い凸部１２Ｂがそれぞれ互いに係合し合うように配してある（前記係合突条７と係合溝８もこのとき互いに係合し合うのは勿論である）。すなわち、係合突条７と係合溝８は互いに対称の位置関係に配され、この対称軸（透孔５を挟持板２の長手方向二つに分割する仮想線ａを軸とする）と同一対称軸にして、短い凹部１１Ａと長い突部１２Ｂは、短い突部１２Ａと長い凹部１１Ｂに対して対称位置に配されている。
【００１４】
前記挟持溝９に設けた縞模様状の凹凸９´は、すべり止めで、この凹凸９´が支持線Ｃａの周面に圧接することにより支持線Ｃａの挟持溝９に沿う移動は防止される。
【００１５】
フック金具１と一対の挟持板２，２を組合わせて構成する柱間分線金物Ａは、内面２´を相対して配した一対の挟持板２，２の一方の係合突条７と係合溝８を、他方の係合溝８と係合突条７に係合させ、該係合突条７等側の一端に相対する他端の挟持溝９，９に自己支持型ケーブルＣの支持線Ｃａを係合させ、各挟持板２の透孔５に挿通させたフック金具１の螺子杆部３にナット１３を螺合して締付けると、螺子杆部３の角根部３ａ´が方形の前記透孔５に係合され、ナット１３の締付けが強固に行われて、柱間分線金物Ａは自己支持型ケーブルＣに取付けられる。そして、この取付け状態にあって、ケーブルＣの、支持線部Ｃａとケーブル本体Ｃｂとの間の仲介材Ｃｃを介して、一方の挟持板２に備えた短い凹部１１Ａ、長い凸部１２Ｂ、長い凹部１１Ｂおよび短い突部１２Ａが他方の挟持板２に備えた短い凸部１２Ａ、長い凹部１１Ｂ、長い凸部１２Ｂおよび短い凹部１１Ａに前記ナット１３の締付けにより係合し、柱間分線金物Ａは自己支持型ケーブルＣに確実に固定される。そして、支持線Ｃａの適所に設置された柱間分線金物Ａのフック金具１のフック部４に引留め金具Ｂをフック部Ｂａにおいて掛止させるようにして用いるのである。
【００１６】
前記凹部１１Ａ，１１Ｂと凸部１２Ａ，１２Ｂは、単数個でも不都合はないが、複数個あるほうが、ケーブルＣに牽引力が作用したときに対する抵抗の増大を期待できる。なお、一対の挟持板２は、在庫管理や製造コストの観点からも有利な互いに同形なものを用いているが、同形でなくとも不都合はない。
【符号の説明】
【００１７】
１      フック金具
２      挟持板
３      螺子杆部
４      フック部
５      透孔
７      突条
８      係合溝
９      挟持溝
１１Ａ，１１Ｂ      凹部
１２Ａ，１２Ｂ      凸部
Ａ      柱間分線金物
Ｂ      引留め金具
Ｃ      自己支持型ケーブル
Ｃｃ    仲介材
【図１】
0003169540.tif 000003
【図２】
0003169540.tif 000004
【図３】
0003169540.tif 000005
【図４】
0003169540.tif 000006
【図５】
0003169540.tif 000007